(57)【要約】【課題】本体に対し回動可能な脚部材が大きく開いて異常な力が働いた時において、脚部材の破損を防ぐ。【解決手段】本体１に対し回動可能に備えられる脚部材２の本体１に対する取付構造であって、本体１に取り付けられて、脚部材２を回動可能に保持する脚部材保持部４ａを有し、本体１に対し脚部材２を所定角度まで回動させた状態で所定以上の力で回動させようとした場合に、脚部材２が破損しない方向に脚部材保持部４ａを移動させる保持部材４を備える。保持部材４はバネ性を具備する弾性材料で形成されている。脚部材保持部４ａは脚部材２の回動中心となるヒンジ軸３を保持する。本体１に対し脚部材２を前記所定角度回動させる状態までは保持部材４をロック状態に維持し、本体１に対し脚部材２を前記所定角度回動させた状態で前記所定以上の力で回動させようとした場合には、保持部材４に対するロック状態を解除するロック部材６を備える。【選択図】図５
2015060032.tif 000002
【特許請求の範囲】
【請求項１】
本体に対し回動可能に備えられる脚部材の前記本体に対する取付構造であって、
前記本体に取り付けられて、前記脚部材を回動可能に保持する脚部材保持部を有し、前記本体に対し前記脚部材を所定角度まで回動させた状態で所定以上の力で回動させようとした場合に、前記脚部材が破損しない方向に前記脚部材保持部を移動させる保持部材を備えることを特徴とする脚部材の取付構造。
【請求項２】
前記保持部材はバネ性を具備する弾性材料で形成されていることを特徴とする請求項１に記載の脚部材の取付構造。
【請求項３】
前記脚部材保持部は前記脚部材の回動中心となるヒンジ軸を保持することを特徴とする請求項１または２に記載の脚部材の取付構造。
【請求項４】
前記本体に対し前記脚部材を前記所定角度回動させる状態までは前記保持部材をロック状態に維持し、前記本体に対し前記脚部材を前記所定角度回動させた状態で前記所定以上の力で回動させようとした場合には、前記保持部材に対する前記ロック状態を解除するロック部材を備えることを特徴とする請求項１から３のいずれか一項に記載の脚部材の取付構造。
【請求項５】
前記保持部材の前記脚部材保持部側に、前記ロック部材に対し係止して前記ロック状態となる係止部が設けられることを特徴とする請求項４に記載の脚部材の取付構造。
【請求項６】
前記保持部材は、前記脚部材保持部と反対側が前記本体に固定されることを特徴とする請求項１から５のいずれか一項に記載の脚部材の取付構造。
【請求項７】
請求項１から６のいずれか一項に記載の取付構造による脚部材を機器本体に備えることを特徴とする電子機器。
【発明の詳細な説明】
【技術分野】
【０００１】
本発明は、スタンド等の脚部材の取付構造と、その取付構造による脚部材を備える電子機器に関する。
【背景技術】
【０００２】
例えば図７はカメラであって、カメラ本体１の後面に、ヒンジ軸３を中心に回動するスタンド２と、ヒンジ結合部９で回動して反転する表示ユニット８を装備した例を示す。
図７（ａ）にカメラ本体１にスタンド２が収納された状態を示し、図７（ｂ）にカメラ本体１に対しスタンド２がヒンジ軸３を中心に回動して開いて、カメラが傾斜して自立している状態を示す。
【０００３】
ところで、カメラがコンパクトであることを保つためには、カメラに装備されるスタンド２は、できる限り薄い必要がある。
一方、スタンド２はカメラの重量を支えるための強度が必要である。
さらに、スタンド２には、カメラの重量が掛かるばかりか、カメラを上から押さえたりすると異常な力が掛かる場合がある。
このような異常荷重を受けてもスタンド２が破損しないように、スタンド２にはヒンジ軸３を中心とする回動の係止手段を持たない構造にするとよい。
【０００４】
このようなカメラ後面に備えるスタンドの他、例えばノートパソコンの本体部底面には、キーボードを傾斜させた状態で机上等に載置するために、本体部に対して回動自在に脚部材が設けられている（例えば特許文献１参照）。
【先行技術文献】
【特許文献】
【０００５】
【特許文献１】特開２０１１−６５６１６号公報
【発明の概要】
【発明が解決しようとする課題】
【０００６】
ところが、回動の係止手段を持たない構造でも、図７（ｃ）に示すように、スタンド２を大きく開いた場合には、カメラ本体１にスタンド２が当たって止まるようにしている。
特に、図８に示すような大きな角度でスタンド２がカメラ本体１の端部１ａに当たった場合は、矢印で示すように上方からの荷重によりヒンジ軸３及びカメラ本体端部１ａの部分に応力が集中し、破損しやすくなるという問題がある。
このような問題は、ノートパソコンの脚部材などにも同様にある。
【０００７】
本発明の課題は、本体に対し回動可能な脚部材が大きく開いて異常な力が働いた時において、脚部材の破損を防ぐことである。
【課題を解決するための手段】
【０００８】
以上の課題を解決するため、本発明は、
本体に対し回動可能に備えられる脚部材の前記本体に対する取付構造であって、
前記本体に取り付けられて、前記脚部材を回動可能に保持する脚部材保持部を有し、前記本体に対し前記脚部材を所定角度まで回動させた状態で所定以上の力で回動させようとした場合に、前記脚部材が破損しない方向に前記脚部材保持部を移動させる保持部材を備えることを特徴とする。
【発明の効果】
【０００９】
本発明によれば、本体に対し大きく開いた脚部材が異常荷重を受けても破損を防止することができる。
【図面の簡単な説明】
【００１０】
【図１】本発明を適用した電子機器の一実施形態の構成を示すもので、カメラのスタンド使用状態を示した斜視図である。
【図２】図１のカメラ本体をスタンド側から見た図である。
【図３】図２のカメラ本体を断面で示した側面図である。
【図４】図３のスタンドを大きく開いてカメラ本体を寝かせて上方から掛かる荷重を矢印で示した図である。
【図５】図４の保持部材がロック部材から外れた状態を示した図である。
【図６】保持部材とロック部材のロック構造の変形例を示す側面図（ａ）〜（ｃ）である。
【図７】従来の取付構造によるスタンドを後面に備えるカメラの斜視図で、カメラ後面にスタンドを収納した図（ａ）、スタンドを開いた使用状態を示す図（ｂ）、及びスタンドを大きく開いた状態の図（ｃ）である。
【図８】図７（ｃ）のようにスタンドを大きく開いた状態の問題点を指摘する側面図である。
【発明を実施するための形態】
【００１１】
以下、図を参照して本発明を実施するための形態を詳細に説明する。
（実施形態）
図１から図３は本発明を適用した電子機器の一実施形態の構成としてカメラのスタンド使用状態を示したもので、１はカメラ本体、２はスタンド、３はヒンジ軸、４は保持部材、６はロック部材、８は表示ユニット、９はヒンジ結合部である。
【００１２】
図示のように、カメラ本体１の後面には、上部の左右一対のヒンジ軸３を中心に回動するスタンド２と、ヒンジ軸３より上方のヒンジ結合部９で回動して反転する表示ユニット８とが備えられている。
【００１３】
そして、カメラ本体１の後面には、バネ性のある弾性材料の固定金具による保持部材４が下部でネジ５により固定されている。
この保持部材４の二股状上端部にスタンド保持部４ａが形成されて、この左右のスタンド保持部４ａに、スタンド２の左右一対のヒンジ軸３がそれぞれ軸受支持されている。
さらに、保持部材４のスタンド保持部４ａの先端には、そのスタンド保持部４ａから後方へ略直角に折り曲げ形状の係止片部４ｂが形成されている。
【００１４】
また、カメラ本体１の後面の上部左右には、バネ性のある弾性材料の固定金具によるロック部材６がネジ７でそれぞれ固定されている。
このロック部材６には、保持部材４の方向に折り返し形状のロック片部６ａがそれぞれ形成されている。
このロック片部６ａによる折り返し形状内に、保持部材４のスタンド保持部４ａ先端に設けた後方へ略直角に折り曲げ形状の係止片部４ｂが挿入してロックしている。
【００１５】
なお、図３はスタンド２の概ねの実使用角度を示している。
【００１６】
次に、図４はスタンド２が所定角度まで大きく開いてカメラ本体１後面上部の端部１ａに当たった状態を示す。
【００１７】
ここで、矢印で示したように、上方からの荷重をカメラ本体１に掛けて所定以上の力になると、図５に示すように、保持部材４がバネ性をもって撓んで、その先端の折り曲げ形状の係止片部４ｂがロック部材６のロック片部６ａから外れる。
これにより、スタンド２に掛かる荷重の力が解除され、スタンド２の破損を防ぐことができる。
【００１８】
また、ロック部材６の折り返し形状のロック片部６ａから外れた保持部材４先端の折り曲げ形状の係止片部４ｂは、開いたスタンド２を閉じるように、そのヒンジ軸３のスタンド保持部４ａを軽くカメラ本体１方向に押せば、保持部材４が撓んで、ロック片部６ａによる折り返し形状内に係止片部４ｂが挿入してロック状態に容易に復帰させることができる。
【００１９】
以上、実施形態のスタンド２を備えるカメラによれば、カメラ本体１に対しバネ性のある固定金具による保持部材４及びロック部材６を介してスタンド２を取り付けた構造のため、カメラ本体１に対し所定角度まで大きく開いた状態のスタンド２に所定以上の異常な力が働いた時、カメラ本体１にネジ５で固定した保持部材４がバネ性をもって撓むことで、その係止片部４ｂがロック片部６ａから外れる。
これにより、保持部材４はスタンド保持部４ａがカメラ本体１後面から離れてスタンド２を破損しない方向に移動するため、スタンド２の破損を未然に防止することができる。
【００２０】
また、スタンド保持部４ａを軽くカメラ本体１方向に押すと、ロック片部６ａによる折り返し形状内に係止片部４ｂが挿入してロック状態に容易に復帰できることで、スタンド２の信頼性が向上する。
【００２１】
さらに、保持部材４はスタンド保持部４ａがスタンド２を破損しない方向に移動するため、スタンド２自体の強度を最小限に抑えることができる。
従って、カメラ全体の小型化が可能になる。
【００２２】
（変形例）
図６は保持部材４とロック部材６のロック構造の変形例を示すものである。
【００２３】
すなわち、前述した実施形態の折り返し形状のロック片部６ａに対する略直角に折り曲げ形状の係止片部４ｂのロック構造に代えて、図６（ａ）に示すように、保持部材４のスタンド保持部４ａの先端に、そのスタンド保持部４ａから一様な平坦形状の係止片部４ｃを形成する。
【００２４】
このように、平坦形状の係止片部４ｃを折り返し形状のロック片部６ａの先端上に載せて係止するロック構造としてもよい。
【００２５】
または、前述した実施形態の略直角に折り曲げ形状の係止片部４ｂと折り返し形状のロック片部６ａによるロック構造に代えて、図６（ｂ）に示すように、保持部材４のスタンド保持部４ａの先端に、保持部材４の板面と略平行する折り曲げ形状の係止片部４ｄを形成する。
また、ロック部材６に、保持部材４の方向に向けて略直角に折り曲げ形状のロック片部６ｂを形成する。
【００２６】
このように、保持部材４の板面と略平行する折り曲げ形状の係止片部４ｄを、略直角に折り曲げ形状のロック片部６ｂの面上に重ねて係止するロック構造としてもよい。
【００２７】
あるいは、前述した実施形態の略直角に折り曲げ形状の係止片部４ｂに対する折り返し形状のロック片部６ａによるロック構造に代えて、図６（ｃ）に示すように、ロック部材６に、保持部材４のスタンド保持部４ａと略平行する折り曲げ形状のロック片部６ｃを形成する。
【００２８】
このように、保持部材４のスタンド保持部４ａと略平行する折り曲げ形状のロック片部６ｃの面上に、略直角に折り曲げ形状の係止片部４ｂの先端を載せて係止するロック構造としてもよい。
【００２９】
（他の変形例）
以上の実施形態においては、カメラのスタンドとしたが、本発明はこれに限定されるものではなく、ノートパソコンの脚部材であってもよく、さらに、カメラを備える携帯電話など他の電子機器であってもよい。
また、実施形態では、脚部材及び保持部材ともバネ性を具備する弾性材料で形成したが、少なくとも一方だけバネ性を具備する弾性材料で形成してもよい。
さらに、脚部材、保持部材及びロック部材の形状等も任意であり、その他、具体的な細部構造等についても適宜に変更可能であることは勿論である。
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し回動可能に備えられる脚部材の前記本体に対する取付構造であって、
前記本体に取り付けられて、前記脚部材を回動可能に保持する脚部材保持部を有し、前記本体に対し前記脚部材を所定角度まで回動させた状態で所定以上の力で回動させようとした場合に、前記脚部材が破損しない方向に前記脚部材保持部を移動させる保持部材を備えることを特徴とする脚部材の取付構造。
＜請求項２＞
前記保持部材はバネ性を具備する弾性材料で形成されていることを特徴とする請求項１に記載の脚部材の取付構造。
＜請求項３＞
前記脚部材保持部は前記脚部材の回動中心となるヒンジ軸を保持することを特徴とする請求項１または２に記載の脚部材の取付構造。
＜請求項４＞
前記本体に対し前記脚部材を前記所定角度回動させる状態までは前記保持部材をロック状態に維持し、前記本体に対し前記脚部材を前記所定角度回動させた状態で前記所定以上の力で回動させようとした場合には、前記保持部材に対する前記ロック状態を解除するロック部材を備えることを特徴とする請求項１から３のいずれか一項に記載の脚部材の取付構造。
＜請求項５＞
前記保持部材の前記脚部材保持部側に、前記ロック部材に対し係止して前記ロック状態となる係止部が設けられることを特徴とする請求項４に記載の脚部材の取付構造。
＜請求項６＞
前記保持部材は、前記脚部材保持部と反対側が前記本体に固定されることを特徴とする請求項１から５のいずれか一項に記載の脚部材の取付構造。
＜請求項７＞
請求項１から６のいずれか一項に記載の取付構造による脚部材を機器本体に備えることを特徴とする電子機器。
【符号の説明】
【００３１】
１  本体
２  脚部材
３  ヒンジ軸
４  保持部材
４ａ  脚部材保持部
４ｂ  係止部
４ｃ  係止部
４ｄ  係止部
５  ネジ
６  ロック部材
６ａ  ロック部
６ｂ  ロック部
６ｃ  ロック部
７  ネジ
８  表示ユニット
９  ヒンジ結合部
【図１】
2015060032.tif 000003
【図２】
2015060032.tif 000004
【図３】
2015060032.tif 000005
【図４】
2015060032.tif 000006
【図５】
2015060032.tif 000007
【図６】
2015060032.tif 000008
【図７】
2015060032.tif 000009
【図８】
2015060032.tif 000010